(57)【要約】【課題】防塵パッキン部材の貼り付けを容易且つ、確実に行なうことができるうえ、部品点数の低減を図ることができる携帯端末装置および防塵パッキン部材の貼り付け方法を提供する。【解決手段】両面粘着シート４０は、ＬＣＤパネル９の形状および大きさとほぼ同一に形成されるとともに、両面粘着層の一端面に防塵パッキン部材５０を貼着し、両面粘着層と防塵パッキン部材５０とを一体化した２層構造から構成されており、且つ、両面粘着シート４０の両面粘着層をＬＣＤパネル９に対する防塵パッキン部材５０の粘着層として共有する。【選択図】        図２
2008109495.tif 000002
【特許請求の範囲】
【請求項１】
表示パネルを有する可動側筐体と連結部を介して重ね合わせ自在に連結される固定側筐体とを備える携帯端末装置であって、
前記表示パネルを前記可動側筐体に取り付けるための両面粘着シートを備え、
前記両面粘着シートは、
前記表示パネルの全領域を構成する形状および外形寸法とほぼ同一に形成された防塵パッキン部材および両面粘着層との２層構造からなり、
前記表示パネルに対する防塵パッキン部材の貼り付け面は、前記両面粘着シートが有する両面粘着層の一部を共有することを特徴とする携帯端末装置。
【請求項２】
前記両面粘着シートは、
前記表示パネルの全領域を構成する形状および外形寸法とほぼ同一に形成された防塵パッキン部材および両面粘着層との２層構造からなり、当該両面粘着層のうちの一方の粘着層は、表示パネルに貼り付けられ、他方の粘着層は、前記可動側筐体に貼り付けられるとともに、
前記表示パネルに対する防塵パッキン部材の貼り付け面は、前記両面粘着層の一方の粘着層の一部を共有することを特徴とする請求項１に記載の携帯端末装置。
【請求項３】
前記両面粘着シートの所定位置には、前記防塵パッキン部材が配設される領域以外の防塵パッキン部材および／または両面粘着層の領域を不要領域として切り離すための切り欠き部が形成されることを特徴とする請求項１または２に記載の携帯端末装置。
【請求項４】
前記防塵パッキン部材は、
前記表示パネルの表示領域と前記可動側筐体に対する当該表示パネルの貼り付け領域との境界位置に配設されることを特徴とする請求項１、２または３に記載の携帯端末装置。
【請求項５】
表示パネルを有する携帯端末装置における防塵パッキン部材の貼り付け方法であって、
前記表示パネルに対して、防塵パッキン部材および両面粘着層が一体的に形成された両面粘着シートを貼り付ける両面粘着シート貼付工程と、
前記防塵パッキン部材が配置された領域以外の防塵パッキン部材および／または両面粘着層の領域を不用領域として取り除く不要領域取り除き工程と、
を含むことを特徴とする防塵パッキン部材の貼り付け方法。
【発明の詳細な説明】
【技術分野】
【０００１】
本発明は、携帯端末装置および防塵パッキン部材の貼り付け方法に関し、特に、ＬＣＤパネルに対する防塵パッキン部材の貼り付け作業を容易且つ確実に行なうことのできる携帯端末装置および防塵パッキン部材の貼り付け方法に関するものである。
【背景技術】
【０００２】
近年の携帯電話機には、比較的大型のＬＣＤパネル（液晶表示パネル）を備えているものが多い。そして、このようなＬＣＤパネルを携帯電話機に取り付ける場合には、両面に粘着部材が塗布された両面テープ（以下、「両面粘着シート」という）を使用して、携帯電話機のフロントケースに貼り付ける方法が主に採用されている。また、このＬＣＤパネルには、携帯電話機のフロントケースの内部などに塵や埃などのゴミや水の浸入を防止するための防塵および防水用のパッキン部材も貼り付けられている。
【０００３】
[従来の両面粘着シートおよび防塵パッキン部材の構成]
ここで、図８−１、図８−２を参照して、従来から使用されている両面粘着シートの構成について説明する。図８−１は、両面粘着シート２０の全体構成を示す平面図を、図８−２は、両面粘着シート２０の要部である縦断面図をそれぞれ示している。
【０００４】
図８−１および図８−２に示すように、従来の両面粘着シート２０には、ＬＣＤパネル９（図１０）の大きさとほぼ同一形状（同じ幅寸法）に形成されている表裏両面に粘着層を有する両面粘着シートが使用される。
【０００５】
また、同図に示すように、この両面粘着シート２０を構成するシート部２１の大半の領域は、ＬＣＤパネル９の表示部９ａ（図１０）に対応する矩形状の開口部２２として形成され、その他の領域（図中に示すハッチングの部分）の表裏両面は粘着層を有する領域となっている。なお、実際には、この両面粘着シート２０（シート部２１）の粘着層が外部と触れないように、この粘着層には剥離紙が設けられる。
【０００６】
次に、図９−１、図９−２を参照して、防塵パッキン部材３０の構成について説明する。図９−１は、防塵パッキン部材３０の全体構成を示す平面図を、図９−２は、防塵パッキン部材３０の要部である縦断面図をそれぞれ示している。
【０００７】
図９−１および図９−２に示すように、防塵パッキン部材３０は、全体が矩形状に形成され開口部３２を有するとともに、ＬＣＤパネル９の表示部９ａ（図１０）の外縁部に沿って貼り付け固定する構成となっているため、ＬＣＤパネル９の表示部９ａの大きさ（外形寸法）よりも僅かに小さい外形寸法を有する。
【０００８】
また、この防塵パッキン部材３０は、ＬＣＤパネル９の表示部９ａに、この防塵パッキン部材３０を貼り付けるために、防塵パッキン３１と両面粘着層３３とから成る２層構造となっている。すなわち、防塵パッキン部材３０の裏面に位置する両面粘着層３３の一端面（図９−２の左側）がＬＣＤパネル９の表示部９ａに貼着される貼り付け面となる。
【０００９】
[従来の防塵パッキン部材の貼り付け方法の概要]
次に、従来の防塵パッキン部材３０の貼り付け方法の概要について簡単に説明する。図１０は、従来の両面粘着シート２０および防塵パッキン部材３０の貼り付け手順の一例を説明する図である。また、図１１は、従来の防塵パッキン部材３０が貼り付けられたＬＣＤパネル９の取り付け手順を説明する図である。（１）すなわち、先ず、図１０に示すように、ＬＣＤパネル９の表面部に対して、両面粘着シート２０の裏面を専用の治具を使用して貼り付ける。
【００１０】
（２）次に、ＬＣＤパネル９の表示部９ａの所定位置（両面粘着シート２０の開口部２２の内縁部）に防塵パッキン部材３０の裏面（両面粘着層３３）を専用の治具を使用して貼り付ける。以上説明した、（１）、（２）により、防塵パッキン部材３０と、この防塵パッキン部材３０を貼り付けたＬＣＤパネル９を可動フロントケース７（図１１）に取り付けるための両面粘着シート２０の貼り付け作業を行なうことができる。
【００１１】
以下、図１１に示すように、防塵パッキン部材３０が貼り付けられたＬＣＤパネル９を両面粘着シート２０の粘着層を利用して、可動フロントケース７に取り付け固定する。これにより、防塵パッキン部材３０を設けたＬＣＤパネル９を携帯電話機Ｐの可動フロントケース７に取り付けることができる。
【００１２】
また、この種のパッキン部材などのシール材に関する貼り付け構造について、例えば、特許文献１には、シール貼り付け面にシール材を両面テープにより貼り付け固定するとともに、貼り付け面の端部のみ粘着剤を除く構造について開示されている。具体的には、粘着剤を有するシール材の先端部を粘着剤を取り除いた非粘着部とすることにより、このシール材の先端部をシール材を剥がす時の摘み代として利用できるため、本構造によると、シール材の貼り付け強度を強くできるうえ、シール材の剥がし作業の容易化を図ることができる。
【００１３】
また、例えば、特許文献２には、弾接部と取着部とを一体に有するガスケットの表面に無電解メッキ膜を形成することで、筐体の隙間を塞ぐことのできるガスケットについて開示されている。本構造によると、筐体の隙間を通じて筐体内に電磁波が漏洩することを防止できるシール特性を得ることができる。
【００１４】
【特許文献１】特開２００１−３５６５９８号公報
【特許文献２】実開平６−８２８９３号公報
【発明の開示】
【発明が解決しようとする課題】
【００１５】
ところが、上述した従来例で示したＬＣＤパネルに対する防塵パッキン部材の貼り付け構造の場合には、以下に示すような問題がある。すなわち、上述したように携帯電話機Ｐの可動フロントケース７に対して、防塵パッキン部材３０をＬＣＤパネル９に貼り付ける際には、ＬＣＤパネル９に両面粘着シート２０を貼付固定した後に、専用の治具を使用して、防塵パッキン部材３０をＬＣＤパネル９に貼り付けるようにしている。
【００１６】
ところが、この場合、両面粘着シート２０の材質は、軟質材であるため変形し易いことから、専用の治具を使用しても、この両面粘着シート２０をＬＣＤパネル９に貼り付け固定する際には、余分な手間が必要となるため、作業性の点で問題がある。
【００１７】
また、同様に、防塵パッキン部材３０の材質も、軟質材であるため変形し易いことから、専用の治具を使用しても、この防塵パッキン部材３０をＬＣＤパネル９に貼り付ける際には、余分な手間が必要となるため、作業性の点で問題がある。
【００１８】
また、上述した従来技術として開示された公知例（特許文献１、特許文献２）の場合においても、シール材の剥がし作業の効率化を図ることができたり、シール材による気密性を図ることができるが、シール材の貼り付けに関する課題を解決するには至らないという問題がある。
【００１９】
そこで、この発明は、上述した従来技術の課題を解決するためになされたものであり、ＬＣＤパネルに対する防塵用のパッキン部材（シール）の貼り付け作業を容易且つ確実に行なうことのできる携帯端末装置および防塵パッキン部材の貼り付け方法を提供することを目的とする。
【課題を解決するための手段】
【００２０】
上述した課題を解決し、目的を達成するため、請求項１に記載の発明は、表示パネルを有する可動側筐体と連結部を介して重ね合わせ自在に連結される固定側筐体とを備える携帯端末装置であって、前記表示パネルを前記可動側筐体に取り付けるための両面粘着シートを備え、前記両面粘着シートは、前記表示パネルの全領域を構成する形状および外形寸法とほぼ同一に形成された防塵パッキン部材および両面粘着層との２層構造からなり、前記表示パネルに対する防塵パッキン部材の貼り付け面は、前記両面粘着シートが有する両面粘着層の一部を共有することを特徴とする。
【００２１】
また、請求項２に記載の発明は、上記発明において、前記両面粘着シートは、前記表示パネルの全領域を構成する形状および外形寸法とほぼ同一に形成された防塵パッキン部材および両面粘着層との２層構造からなり、当該両面粘着層のうちの一方の粘着層は、表示パネルに貼り付けられ、他方の粘着層は、前記可動側筐体に貼り付けられるとともに、前記表示パネルに対する防塵パッキン部材の貼り付け面は、前記両面粘着層の一方の粘着層の一部を共有することを特徴とする。
【００２２】
また、請求項３に記載の発明は、上記発明において、前記両面粘着シートの所定位置には、前記防塵パッキン部材が配設される領域以外の防塵パッキン部材および／または両面粘着層の領域を不要領域として切り離すための切り欠き部が形成されることを特徴とする。
【００２３】
また、請求項４に記載の発明は、上記発明において、前記防塵パッキン部材は、前記表示パネルの表示領域と前記可動側筐体に対する当該表示パネルの貼り付け領域との境界位置に配設されることを特徴とする。
【００２４】
また、請求項５に記載の発明は、表示パネルを有する携帯端末装置における防塵パッキン部材の貼り付け方法であって、前記表示パネルに対して、防塵パッキン部材および両面粘着層が一体的に形成された両面粘着シートを貼り付ける両面粘着シート貼付工程と、前記防塵パッキン部材が配置された領域以外の防塵パッキン部材および／または両面粘着層の領域を不用領域として取り除く不要領域取り除き工程と、を含むことを特徴とする。
【発明の効果】
【００２５】
請求項１の発明によれば、両面粘着シートは、表示パネルの全領域を構成する形状および外形寸法とほぼ同一に形成された防塵パッキン部材および両面粘着層との２層構造からなり、表示パネルに対する防塵パッキン部材の貼り付け面は、両面粘着シートが有する両面粘着層の一部を共有するので、表示部パネルに対する防塵パッキン部材の貼り付け作業を専用の治具を使用することなく容易且つ確実に行なうことができるうえ、両面粘着シートの両面粘着層を防塵パッキン部材の粘着層として、共有することができ、これにより、両面粘着シートと防塵パッキン部材とを別体部品とすることがなく、この結果、部品点数の低減によりコストダウンを図ることができる。
【００２６】
また、請求項２の発明によれば、両面粘着シートは、表示パネルの全領域を構成する形状および外形寸法とほぼ同一に形成された防塵パッキン部材および両面粘着層との２層構造からなり、当該両面粘着層のうちの一方の粘着層は、表示パネルに貼り付けられ、他方の粘着層は、可動側筐体に貼り付けられるとともに、表示パネルに対する防塵パッキン部材の貼り付け面は、両面粘着層の一方の粘着層の一部を共有するので、請求項１の発明と同様に、防塵パッキン部材の貼り付け作業を容易且つ確実に行なうことができるうえ、両面粘着シートと防塵パッキン部材とを別体部品とすることがなく部品点数の低減を図ることができる。
【００２７】
また、請求項３の発明によれば、両面粘着シートの所定位置には、防塵パッキン部材が配設される領域以外の防塵パッキン部材および／または両面粘着層の領域を不要領域として切り離すための切り欠き部が形成されるので、切り欠き部を利用して防塵パッキン部材として必要な領域以外の部分を不要領域として切り離すことができるため、容易且つ効率的に表示パネルの所定の位置に防塵パッキン部材を設けることができる。
【００２８】
また、請求項４の発明によれば、防塵パッキン部材は、表示パネルの表示領域と可動側筐体に対する当該表示パネルの貼り付け領域との境界位置に配設されるので、容易に所定の位置に防塵パッキン部材を配設することができるうえ、この防塵パッキン部材により、携帯電話機の内部に塵や埃などのゴミや水が浸入することを確実に防止することができる。
【００２９】
また、請求項５の発明によれば、表示パネルに対して、防塵パッキン部材および両面粘着層が一体的に形成された両面粘着シートを貼り付ける両面粘着シート貼付工程と、防塵パッキン部材が配置された領域以外の防塵パッキン部材および／または両面粘着層の領域を不用領域として取り除く不要領域取り除き工程とを含むので、請求項１の発明と同様に、防塵パッキン部材の貼り付け作業を容易且つ確実に行なうことができるうえ、両面粘着シートと防塵パッキン部材とを別体部品とすることがなく、これにより、部品点数の低減によりコストダウンを図ることができる。
【発明を実施するための最良の形態】
【００３０】
以下に添付図面を参照して、この発明に係る携帯端末装置の好適な実施例を詳細に説明する。ここで、本実施例では、携帯端末装置の一例として携帯電話機への適用例を示す。なお、以下に示す実施例によりこの発明が限定されるものではない。
【実施例】
【００３１】
[携帯電話機Ｐを示す外観斜視図]
図１は、本発明の実施例である携帯電話機Ｐを示す外観斜視図である。同図に示すように、本実施例の携帯電話機Ｐは、ヒンジ部１により折り畳み自在に連結された固定側筐体２と該固定側筐体２とほぼ同等サイズに形成された可動側筐体５とを備える。また、固定側筐体２は、固定リアケース３と固定フロントケース４とが組み付けられた２層構造となっている。また、可動側筐体５も可動リアケース６と可動フロントケース７とが組み付けられた２層構造となっている。
【００３２】
また、送話用として用いられる固定側筐体２は、テンキー（０〜９）、各種の機能キー（モード設定キー）などの操作キー８などを備えており、受話用として用いられる可動側筐体５は、表示部９ａを有するＬＣＤパネル（液晶表示装置）９、スピーカなどを内蔵した受話部１０、カメラ用の撮影窓１１などを備えている。
【００３３】
[可動側筐体５の内部構成の一例を示す分解斜視図]
図２は、可動側筐体５の内部構成の一例を示す分解斜視図である。同図に示すように、可動側筐体５は、箱形状の可動リアケース６と、この可動リアケース６の開口部の位置に組み付け固定される箱形状の可動フロントケース７とを備えている。
【００３４】
また、これら可動リアケース６と可動フロントケース７の内部には、ＬＣＤユニット１２（液晶ディスプレイ）と基板１３とが配置された状態で組み付けられる。また、可動フロントケース７の内面部７ａには、防塵パッキン部材５０が貼り付けられたＬＣＤパネル９が両面粘着シート４０により貼り付け固定されることとなる。
【００３５】
ここで、本発明の特徴は、可動フロントケース７に対するＬＣＤパネル９の貼り付けとＬＣＤパネル９に対する防塵パッキン部材５０の貼り付けとを兼用する両面粘着シート４０の構成にある。
【００３６】
具体的には、従来では、別体であった両面粘着シートと防塵パッキン部材とを一体化した２層構造とすることで、両面粘着シート４０の両面粘着層４１をＬＣＤパネル９に対する防塵パッキン部材５０の粘着層として共有する構成としている。以下、この両面粘着シート４０の構成を中心として、本実施例における防塵パッキン部材の取り付け構造について詳細に説明する。
【００３７】
[両面粘着シート４０の構成]
図３−１は、両面粘着シート４０の全体構成を示す平面図を、図３−２は、両面粘着シート４０の要部の拡大断面図をそれぞれ示している。
【００３８】
図３−１に示すように、両面粘着シート４０と防塵パッキン部材５０は、ＬＣＤパネル９（図４）の全領域を構成する形状および外形寸法とほぼ同一に形成されている。また、防塵パッキン部材５０を構成する防塵パッキン５１の一端面５１ａが両面粘着シート４０の両面粘着層４１の一端面４１ａに対して貼り付けられている（図３−２）。また、両面粘着層４１の他端面４１ｂは、ＬＣＤパネル９に対する貼り付け面となる。従って、この両面粘着シート４０は、両面粘着層４１と防塵パッキン５１を有する防塵パッキン部材５０とが一体化された２層構造となっている。
【００３９】
ここで、図中に示すＡの範囲は、防塵パッキン部材５０の境界線となっており、この矩形状の境界線の範囲が、実際に防塵パッキン部材５０として使用する部位となる。また、図中に示すＢの範囲は、両面粘着シート４０として使用する境界線となっており、この領域は、可動フロントケース７の内面部７ａに対して貼り付けられる粘着層の領域となる。
【００４０】
このため、防塵パッキン部材５０として使用する領域以外の領域は不要領域（Ｘ領域、Ｙ領域、Ｚ領域）となり、この不要領域は各領域の境界線（例えば、スリット部などを形成する）で切り離して取り除くこととなる。
【００４１】
[防塵パッキン部材５０の貼り付け方法]
次に、図４〜図７を参照して、防塵パッキン部材５０の貼り付け方法について説明する。図４から図７は、携帯電話機Ｐにおける防塵パッキン部材５０の貼り付け方法の一例を示す説明である。このうち、図４は、両面粘着シートの貼り付け手順を説明する図を、図５は、両面粘着シートの不要領域の切り離し手順をそれぞれ説明する図である。また、図６−１は、図５のｔ1部の構成を示す断面図を、図６−２は、図５のｔ2部の構成を示す断面図を、図６−３は、図５のｔ3部の構成を示す断面図をそれぞれ示している。また、図７は、防塵パッキン部材５０が貼り付けられたＬＣＤパネルの貼り付け手順を説明する図を示している。
【００４２】
先ず、（１）図４に示すように、ＬＣＤパネル９の表面部に両面粘着シート４０を構成する両面粘着層４１の他端面４１ｂ（図３−１）を貼り付ける作業を行なう。これにより、ＬＣＤパネル９は、このＬＣＤパネル９に貼り付けられた両面粘着シート４０の両面粘着層４１を使用して、このＬＣＤパネル９を可動フロントケース７（図７）に取り付けることができる。
【００４３】
ここで、同図に示すように、両面粘着シート４０の形状は、従来の両面粘着シート２０（図８−１）のように開口部２２を有する形状ではなく、ＬＣＤパネル９の全領域を被覆するほぼ同一形状および大きさを有しているため、ＬＣＤパネル９に両面粘着シート４０を貼り付ける際に、この両面粘着シート４０が変形したりズレたりすることがない。このため、従来のように、専用の治具を使用することなく容易且つ、確実にＬＣＤパネル９に対して、両面粘着シート４０を貼り付けることができる。
【００４４】
（２）次に、図５に示すように、不要となるＸ領域、Ｙ領域、Ｚ領域（両面粘着層４１、防塵パッキン５１）を剥がして取り除く作業を行なう。すなわち、ＬＣＤパネル９の表面部に貼り付られたＸ領域、Ｙ領域、Ｚ領域を、それぞれ順に剥がして、防塵パッキン部材５０とＬＣＤパネル９を可動フロントケース７に貼り付ける貼着面を残す作業を行なう。具体的には、防塵パッキン部材５０として使用される領域の内方に位置するＸ領域を剥がして切り離す。同様に、防塵パッキン部材５０として使用される領域の下方に位置するＹ領域を剥がして切り離す。さらに、ＬＣＤパネル９の外周側に位置するＺ領域を剥がして切り離すこととなる。
【００４５】
これにより、図５において、図中のｔ1部は、Ｘ領域の防塵パッキン５１を含む両面粘着層４１およびＹ領域の防塵パッキン５１を含む両面粘着層４１がそれぞれ剥がされて取り除かれるため、この部分は両面粘着層４１と防塵パッキン５１の両者が存在しないＬＣＤパネル９のみの構成となる（図６−１参照）。
【００４６】
また、図５において、図中のｔ2部は、ＬＣＤパネル９の外周側に位置するＺ領域の防塵パッキン５１が剥がされて取り除かれるため両面粘着シート４０は、両面粘着層４１のみの構成となり、このＺ領域に対応する両面粘着層４１が可動フロントケース７の内面部７ａに対する貼着面となる（図６−２参照）。すなわち、防塵パッキン５１が剥がされることで、両面粘着層４１が露出するため、この両面粘着層４１の一端面４１ａ（図３−２）により、ＬＣＤパネル９を可動フロントケース７に貼り付け固定することができる。
【００４７】
また、図５において、図中のｔ3部は、剥がし領域がない範囲であり、防塵パッキン５１を含む両面粘着層４１がそのまま存在するため、この矩形状の範囲が防塵パッキン５０を含む両面粘着層４１として残留することとなり、この部分が防塵パッキン部材５０を構成する部分となる（図６−３参照）。
【００４８】
以上の作業手順により、ＬＣＤパネル９の表示部９ａには、防塵パッキン部材５０のみを貼り付け固定した状態で残すことができる。また、このＬＣＤパネル９を可動フロントケース７に貼り付けるための貼り付け領域（両面粘着層４１）をそのままの状態で確保することができる。
【００４９】
（３）最後に、図５の状態となったＬＣＤパネル９を反転（図中裏表を逆にする）させ、図７に示すように、このＬＣＤパネル９上に貼り付け固定された両面粘着シート４０の両面粘着層４１（一端面４１ａ）を可動フロントケース７の内面部７ａに貼り付け固定する。
【００５０】
以上説明したように、本実施例では、両面粘着シート４０を構成する防塵パッキン５１および両面粘着層４１をＬＣＤパネル９の形状および大きさとほぼ同一形状に形成するとともに、両面粘着層４１と防塵パッキン５１とを一体化した２層構造から構成することにより、両面粘着シート４０の両面粘着層４１の一部をＬＣＤパネル９に対する防塵パッキン部材５０の粘着面として共有する構成としているので、ＬＣＤパネル９に対する両面粘着シート４０および防塵パッキン部材５０の貼り付け作業を専用の治具を使用することなく容易且つ確実に行なうことができるうえ、両面粘着シート４０の両面粘着層４１を防塵パッキン部材５０の粘着層として利用することができる。
【００５１】
[他の実施例]
なお、上述した実施例では、ヒンジ構造による折り畳み方式の携帯電話機への適用例として説明したが、実施例で示したヒンジ構造に限らず、その他各種のヒンジ構造に、本発明を適用できる。例えば、スライド方式や平面内回転方式の連結部構成によって固定側筐体に対して可動側筐体を重ね合わせ自在とした携帯電話機を対象とすることもできる。
【００５２】
また、折り畳み方式でない単体で構成された携帯電話機にも本発明を適用することができる。また、本実施例では、防塵および防水を図るための防塵パッキン部材を適用するものとして説明したが、その他、気密性などを図るための各種シール材の構造に本発明を適用することができる。
【００５３】
また、本実施例では、携帯端末装置として、携帯電話機への適用例として説明したが、本発明はこれに限定されるものではなく、ＰＤＡ（PersonalDigitalAssistants）のような小型情報処理端末、小型音楽再生装置、携帯型テレビ、携帯型ゲーム機等の他の各種携帯端末装置の表示パネルを対象として適用することができる。
【００５４】
（付記１）表示パネルを有する可動側筐体と連結部を介して重ね合わせ自在に連結される固定側筐体とを備える携帯端末装置であって、
前記表示パネルを前記可動側筐体に取り付けるための両面粘着シートを備え、
前記両面粘着シートは、
前記表示パネルの全領域を構成する形状および外形寸法とほぼ同一に形成された防塵パッキン部材および両面粘着層との２層構造からなり、
前記表示パネルに対する防塵パッキン部材の貼り付け面は、前記両面粘着シートが有する両面粘着層の一部を共有することを特徴とする携帯端末装置。
【００５５】
（付記２）前記両面粘着シートは、
前記表示パネルの全領域を構成する形状および外形寸法とほぼ同一に形成された防塵パッキン部材および両面粘着層との２層構造からなり、当該両面粘着層のうちの一方の粘着層は、表示パネルに貼り付けられ、他方の粘着層は、前記可動側筐体に貼り付けられるとともに、
前記表示パネルに対する防塵パッキン部材の貼り付け面は、前記両面粘着層の一方の粘着層の一部を共有することを特徴とする付記１に記載の携帯端末装置。
【００５６】
（付記３）前記両面粘着シートの所定位置には、前記防塵パッキン部材が配設される領域以外の防塵パッキン部材および／または両面粘着層の領域を不要領域として切り離すための切り欠き部が形成されることを特徴とする付記１または２に記載の携帯端末装置。
【００５７】
（付記４）前記防塵パッキン部材は、
前記表示パネルの表示領域と前記可動側筐体に対する当該表示パネルの貼り付け領域との境界位置に配設されることを特徴とする付記１、２または３に記載の携帯端末装置。
【００５８】
（付記５）前記両面粘着シートの所定位置には、前記表示パネルの表示領域の形状に合わせた不要となる領域を切り離すための切り欠き部が形成されることを特徴とする付記１、２または３に記載の携帯端末装置。
【００５９】
（付記６）前記両面粘着シートの所定位置には、前記可動側筐体に貼り付けられる貼り付け面となる領域の形状に合わせた切り離し用の切り欠き部が形成されることを特徴とする付記１、２または３に記載の携帯端末装置。
【００６０】
（付記７）表示パネルを有する携帯端末装置における防塵パッキン部材の貼り付け方法であって、
前記表示パネルに対して、防塵パッキン部材および両面粘着部材が一体的に形成された両面粘着シートを貼り付ける両面粘着シート貼付工程と、
前記防塵パッキン部材が配置された領域以外の防塵パッキン部材および両面粘着部材の領域を不用領域として取り除く不要領域取り除き工程と、
を含むことを特徴とする防塵パッキン部材の貼り付け方法。
【産業上の利用可能性】
【００６１】
以上のように、本発明に係る携帯端末装置および防塵パッキン部材の貼り付け方法は、防塵パッキン部材などのパッキンシートを備えた携帯端末装置に有用である。
【図面の簡単な説明】
【００６２】
【図１】本実施例の携帯電話機を示す外観斜視図である。
【図２】可動側筐体の内部構成の一例を示す分解斜視図である。
【図３−１】両面粘着シートの全体構成を示す平面図である。
【図３−２】図３−１の要部を示す拡大断面図である。
【図４】両面粘着シートの貼り付け手順を説明する図である。
【図５】両面粘着シートの不要領域の切り離し手順を説明する図である。
【図６−１】図５のｔ1部の構成を示す断面図である。
【図６−２】図５のｔ2部の構成を示す断面図である。
【図６−３】図５のｔ3部の構成を示す断面図である。
【図７】ＬＣＤパネルの貼り付け手順を説明する図である。
【図８−１】従来の両面粘着シートの全体構成を示す平面図である。
【図８−２】図８−１の要部を示す縦断面図である。
【図９−１】従来の防塵パッキン部材の全体構成を示す平面図である。
【図９−２】図９−１の要部を示す縦断面図である。
【図１０】従来の両面粘着シートおよび防塵パッキン部材の貼り付け手順を説明する図である。
【図１１】従来のＬＣＤパネルの取り付け手順を説明する図である。
【符号の説明】
【００６３】
Ｐ  携帯電話機
１  ヒンジ部
２  固定側筐体
３  固定リアケース
４  固定フロントケース
５  可動側筐体
６  可動リアケース
７  可動フロントケース
７ａ  内面部
８  操作キー
９  ＬＣＤパネル（液晶表示装置）
９ａ  表示部
１０  受話部
１１  撮影窓
２０、４０  両面粘着シート
３０、５０  防塵パッキン部材
３１、５１  防塵パッキン
３３、４１  両面粘着層
【図１】
2008109495.tif 000003
【図２】
2008109495.tif 000004
【図３−１】
2008109495.tif 000005
【図３−２】
2008109495.tif 000006
【図４】
2008109495.tif 000007
【図５】
2008109495.tif 000008
【図６−１】
2008109495.tif 000009
【図６−２】
2008109495.tif 000010
【図６−３】
2008109495.tif 000011
【図７】
2008109495.tif 000012
【図８−１】
2008109495.tif 000013
【図８−２】
2008109495.tif 000014
【図９−１】
2008109495.tif 000015
【図９−２】
2008109495.tif 000016
【図１０】
2008109495.tif 000017
【図１１】
2008109495.tif 000018